(57)【要約】【課題】掛止本体部が大型化せず、支柱のある被掛止体同士の連結部を、被掛止体に掛止したまま容易に通過できる安全フックを提供する。【解決手段】安全フック１１において、支柱１９の上端に架け渡される被掛止体の通過する開放部２３が下方となる鉤状の掛止本体部１３と、開放部２３を挟む掛止本体部１３の開放部一端２５に連設され開放部２３から外側に離れる方向に傾斜して垂下し垂下端にロープ接続部２７を有するグリップ部１５と、開放部一端２５に上下方向の枢軸２９を中心に基端部３１が回転自在に支持され所定回転位置に位置規制されることで開放部２３を挟む掛止本体部１３の開放部他端３３に形成される係合部３５に先端部３７が係合して係合部３５からの上下方向の離脱が規制されて開放部２３を閉鎖する開閉杆１７と、を設けた。【選択図】  図７
2015012914.tif 000002
【特許請求の範囲】
【請求項１】
支柱の上端に架け渡される被掛止体の通過する開放部が下方となる鉤状の掛止本体部と、
前記開放部を挟む前記掛止本体部の開放部一端に連設され前記開放部から外側に離れる方向に延設し端部にロープ接続部を有するグリップ部と、
前記開放部一端に枢支されて基端部が回転自在に支持され前記開放部に対して開閉自在となる開閉杆と、
を具備することを特徴とする安全フック。
【請求項２】
支柱の上端に架け渡される被掛止体の通過する開放部が下方となる鉤状の掛止本体部と、
前記開放部を挟む前記掛止本体部の開放部一端に連設され前記開放部から外側に離れる方向に傾斜して垂下し垂下端にロープ接続部を有するグリップ部と、
前記開放部一端に上下方向の枢軸を中心に基端部が回転自在に支持され所定回転位置に位置規制されることで前記開放部を挟む前記掛止本体部の開放部他端に形成される係合部に先端部が係合して前記係合部からの上下方向の離脱が規制されて前記開放部を閉鎖する開閉杆と、
を具備することを特徴とする安全フック。
【請求項３】
請求項２記載の安全フックであって、
前記係合部が、前記先端部の回転方向に開口して前記先端部を通過可能とする溝状に形成されることを特徴とする安全フック。
【請求項４】
請求項２または３記載の安全フックであって、
コ字状に形成され内側に前記基端部を挟み前記開放部一端に横方向の操作軸を中心に一対のコ字状開口部が回転自在に支持され前記開閉杆を前記所定回転位置に位置規制するとともに、コ字状連結部に設けられた指掛け部が前記グリップ部へ接近する方向に回転されることで前記開閉杆の前記所定回転位置への位置規制を解除する操作片を具備することを特徴とする安全フック。
【請求項５】
請求項４記載の安全フックであって、
前記掛止本体部と前記操作片との間には、前記開閉杆が前記所定回転位置となるように前記操作片を付勢するバネ部材が設けられることを特徴とする安全フック。
【請求項６】
請求項４または５記載の安全フックであって、
前記グリップ部には前記操作片に係脱して前記操作片の回転を規制または規制解除するロック部が設けられていることを特徴とする安全フック。
【発明の詳細な説明】
【技術分野】
【０００１】
本発明は、建設工事現場等の高所で作業を行なう際に、作業者の墜落を防止する安全帯や安全ロープの先端に連結する安全フックに関する。
【背景技術】
【０００２】
高所作業において、作業者の墜落を防止する安全帯や安全ロープの先端に連結する安全フックが知られている（特許文献１，２，３等参照）。例えば特許文献３に開示されるように、安全フックは、工事現場等に敷設される単管やロープ等に掛け止め得るように形成した鉤部の下方開口部に、開閉バーを揺動可能な状態にして取り付け、開閉バーの揺動を、鉤部の背側に取り付けたロックレバーによって行なうように形成した構成となっているのが一般的である。
【先行技術文献】
【特許文献】
【０００３】
【特許文献１】特開２００２−３４５９８７号公報
【特許文献２】特開２００６−１８７５０６号公報
【特許文献３】特開２００７−１１７５７３号公報
【発明の概要】
【発明が解決しようとする課題】
【０００４】
しかしながら、上記特許文献１，２，３に開示される安全フックは、開口部分の狭い逆Ｊ字状に形成され、何れも開閉バーが、鉤部の掛かる方向に直交する方向である横方向（上下方向に直交する方向）の軸を中心に回転自在に支持され、上下方向に回転する。そして、開閉バーは安全フック内方に揺動することで開放する構成とされる。このため、開閉バーが単管や、単管同士を連結する連結部と干渉し易くなり、すなわち作業者の手指が干渉してしまい、掛けたままの状態での通過が不可能となる。また、これら従来の安全フックは、鉤部の形状やサイズ、開口部分の大きさなどが、上記連結部、特に支柱との連結部における通過について考慮されていない。安全フックは、連結部に干渉すれば、掛け替えなければならない。掛け替え時は無綱状態となり、事故の発生にも繋がる。このため、現場では２丁掛け安全帯の使用が指導されるが、２丁掛けの安全帯は両手を使ったり持ち替えたりなど扱いづらく、掛け替えの手間が掛かることから、作業者の評判は芳しくない。一方、連結部との干渉を回避しようとすれば、安全フックが大型化し、重量も大きくなる不利がある。そこで、大型化せず、２丁掛け安全帯よりも扱いやすく、掛け替え不要な安全フックの開発が望まれていた。
【０００５】
本発明は上記状況に鑑みてなされたもので、その目的は、掛止本体部が大型化せず、支柱のある被掛止体同士の連結部を、被掛止体に掛止したまま容易に通過できる、すなわち掛け替えせずに安全を確保して通過できる安全フックを提供することにある。
【課題を解決するための手段】
【０００６】
次に、上記の課題を解決するための手段を、実施の形態に対応する図面を参照して説明する。
本発明の請求項１記載の安全フック１１は、支柱１９の上端に架け渡される被掛止体の通過する開放部２３が下方となる鉤状の掛止本体部１３と、
前記開放部２３を挟む前記掛止本体部１３の開放部一端２５に連設され前記開放部２３から外側に離れる方向に延設し端部にロープ接続部２７を有するグリップ部１５と、
前記開放部一端２５に枢支されて基端部３１が回転自在に支持され前記開放部２３に対して開閉自在となる開閉杆１７と、
を具備することを特徴とする。
【０００７】
この安全フック１１では、グリップ部１５が開放部２３に対して離れる方向に延設されていることによって連結部５７や支柱１９と干渉し難くなる。その結果、連結部５７の位置で掛け替えなどの作業を不要とし高所作業などの安全性を確保できる。
なお、上記構成においては、好ましくは、掛止本体部１３の形状は、逆Ｕ字状に形成されて、開放部２３に対する奥行き及び内幅、所謂懐を大きく形成し、すなわち開放部２３を開閉杆１７にて閉じた状態で、この開閉杆１７の延在方向に対して略直交する方向で掛止本体部１３が長く、且つ開閉杆１７の長さより狭くならないよう内幅長を幅広に形成される。そして、グリップ部１５は、開放部２３に対して閉じた状態の開閉杆１７とで９０°以上の鈍角をなし、掛止部本体１３の開放部一端２５に開放部２３から外側に離れる方向に延在するように、すなわち開閉杆１７とグリップ部１５とでヘ字状となって設けられる。このことから、掛止部本体１３の開放部２３から奥方向となる被掛止体の進入方向、及び支柱１９の立設方向に対して、グリップ部１５がそれらから離れる方向に配置されることになり、作業者Ｐがグリップ部１５を握ったままでも連結部５７や支柱１９と干渉せず、すなわち掛け替えせずに通過可能となる。
【０００８】
本発明の請求項２記載の安全フック１１は、支柱１９の上端に架け渡される被掛止体の通過する開放部２３が下方となる鉤状の掛止本体部１３と、
前記開放部２３を挟む前記掛止本体部１３の開放部一端２５に連設され前記開放部２３から外側に離れる方向に傾斜して垂下し垂下端にロープ接続部２７を有するグリップ部１５と、
前記開放部一端２５に上下方向の枢軸２９を中心に基端部３１が回転自在に支持され所定回転位置に位置規制されることで前記開放部２３を挟む前記掛止本体部１３の開放部他端３３に形成される係合部３５に先端部３７が係合して前記係合部３５からの上下方向の離脱が規制されて前記開放部２３を閉鎖する開閉杆１７と、
を具備することを特徴とする。
【０００９】
この安全フック１１では、開閉杆１７の基端部３１が、上下方向の枢軸２９を中心に、開放部一端２５に回転自在に支持される。開閉杆１７は、枢軸２９を中心に水平方向に回転され、係合部３５との係合が解除される。
掛止本体部１３を被掛止体に通して水平移動した安全フック１１は、支柱１９に到達すると、開閉杆１７が支柱１９に当たる。その際、開閉杆１７は、所定回転位置への位置規制が解除されていると、衝接した支柱１９からの反力により枢軸２９を中心に水平方向に回転する。開閉杆１７が水平方向に回転することで、開放部２３が開放し、開放部２３が支柱１９を通過可能となる。これにより、安全フック１１が、支柱１９に支持される被掛止体同士の連結部５７を通過できることになる。
このとき、開閉杆１７は、水平方向に回転されるので、従来構造のように、掛止本体部内方に揺動する場合に比べ、連結部５７と干渉し難くなる。また、グリップ部１５が開放部２３に対して離れる方向に傾斜配置していることによっても連結部５７や支柱１９と干渉し難くなる。その結果、連結部５７の位置で掛け替えなどの作業を不要とし高所作業などの安全性を確保できる。また、掛止本体部１３が小型化・軽量化可能となる。
【００１０】
本発明の請求項３記載の安全フック１１は、請求項２記載の安全フック１１であって、
前記係合部３５が、前記先端部３７の回転方向に開口して前記先端部３７を通過可能とする溝状に形成されることを特徴とする。
【００１１】
この安全フック１１では、溝状の係合部３５に係合して開放部２３を閉塞している開閉杆１７は、回転位置規制が解除されると、開口から脱して容易に係合部３５からの離脱が可能となる。また、元の位置に回転される開閉杆１７は、開口から進入して、容易に係合部３５（元の係合位置）に配置可能となる。
【００１２】
本発明の請求項４記載の安全フック１１は、請求項２または３記載の安全フック１１であって、
コ字状に形成され内側に前記基端部３１を挟み前記開放部一端２５に横方向の操作軸４１を中心に一対のコ字状開口部４３が回転自在に支持され前記開閉杆１７を前記所定回転位置に位置規制するとともに、コ字状連結部４５に設けられた指掛け部４７が前記グリップ部１５へ接近する方向に回転されることで前記開閉杆１７の前記所定回転位置への位置規制を解除する操作片３９を具備することを特徴とする。
【００１３】
この安全フック１１では、開閉杆１７は、上下方向の枢軸２９を中心に基端部３１が回転自在に支持され、横方向に回転する。すなわち、掛止本体部１３の開放部２３から内側方向に沿う方向で枢軸２９が設けられ、それに直交する方向に回転する。また、操作片３９は、横方向、すなわち上下方向を軸線方向とする枢軸２９と直交する方向の操作軸４１を中心にコ字状開口部４３が回転自在に支持され、上下方向に回転する。従って、操作片３９が開閉杆１７を挟まない下側位置へ回転されれば、開閉杆１７は、所定回転位置への位置規制が解除され、横方向の回転、すなわち、開放部２３の開閉が可能となる。一方、操作片３９が開閉杆１７を挟む上側位置へ回転されれば、開閉杆１７は、操作片３９に挟持され、所定回転位置に位置規制される。
【００１４】
本発明の請求項５記載の安全フック１１は、請求項４記載の安全フック１１であって、
前記掛止本体部１３と前記操作片３９との間には、前記開閉杆１７が前記所定回転位置となるように前記操作片３９を付勢するバネ部材４９が設けられることを特徴とする。
【００１５】
この安全フック１１では、バネ部材４９の付勢により操作片３９が上側位置に回転されることで、開閉杆１７が所定回転位置である常時閉塞位置となる。また、バネ部材４９は、操作片３９が操作されると、付勢方向に抗して変位することで、操作片３９の操作を許容する。この操作片３９の操作によって、開閉杆１７の回転位置規制が容易に解除可能となる。
【００１６】
本発明の請求項６記載の安全フック１１は、請求項４または５記載の安全フック１１であって、
前記グリップ部１５には前記操作片３９に係脱して前記操作片３９の回転を規制または規制解除するロック部５１が設けられていることを特徴とする。
【００１７】
この安全フック１１では、ロック部５１が操作片３９に係合することで、操作片３９の操作が不能となる。操作片３９は、ロック部５１の係合が解除されることで、操作が可能となる。つまり、開閉杆１７は、操作片３９とロック部５１とにより、所定回転位置の位置規制の維持、及び係合部３５からの離脱が二重にロックされる。
【発明の効果】
【００１８】
本発明に係る請求項１記載の安全フックによれば、グリップ部が開放部に対して離れる方向に延設されていることによって、連結部や支柱と、グリップ部を握る作業者の手指とが干渉し難くなる。その結果、被掛止体から掛止本体部を離脱させるような掛け替え作業が無くなり、すなわち、単管やロープと支柱との連結部分であっても、掛止本体部を被掛止体に掛けた状態のまま通過が可能となり、掛け替えなどの煩雑な作業を不要として被掛止体に沿って移動が可能となり、高所作業における安全性を確保することができる。
【００１９】
本発明に係る請求項２記載の安全フックによれば、被掛止体から掛止本体部を離脱させるような掛け替え作業が無くなり、すなわち、単管やロープと支柱との連結部分であっても、開閉杆が回転することで掛止本体部を被掛止体に掛けた状態のまま通過が可能となり、掛け替えなどの煩雑な作業を不要として被掛止体に沿って移動が可能となり、高所作業における安全性を確保することができる。また、掛止本体部が大型化せず、支柱のある被掛止体同士の連結部を、被掛止体に掛止したまま容易に通過できる。
【００２０】
本発明に係る請求項３記載の安全フックによれば、簡素な構造で、開閉杆の先端部を係合部に対して回転方向にのみ係合解除となるとともに、掛止本体部の開放部に対して上下の方向に開閉杆が回転しない係合状態となり、被掛止体から離脱することがない。
【００２１】
本発明に係る請求項４記載の安全フックによれば、簡素な構造で開閉杆を所定回転位置に位置規制、及び位置規制解除できる。
【００２２】
本発明に係る請求項５記載の安全フックによれば、バネ部材の付勢により常時閉塞位置となる開閉杆の位置規制を、バネ部材の付勢に抗する操作片の操作で容易に解除でき、安全性、操作性を高めることができる。
【００２３】
本発明に係る請求項６記載の安全フックによれば、ロック部を解除操作しなければ単独では操作片が操作できず、開閉杆が不用意に開くことを防止して、安全性を向上させることができる。
【図面の簡単な説明】
【００２４】
【図１】本発明の実施形態に係る安全フックの正面図である。
【図２】図１に示した安全フックを裏側から見た背面図である。
【図３】操作片及びロック部が握られた安全フックの正面図である。
【図４】安全フック使用現場の説明図である。
【図５】ロック部解除時の動作説明図である。
【図６】操作片が操作されて開閉杆が回転された安全フックの動作説明図である。
【図７】連結部通過時の動作説明図である。
【図８】開閉杆の回転された安全フックを上側から見た動作説明図である。
【発明を実施するための形態】
【００２５】
以下、本発明に係る実施形態を図面を参照して説明する。
図１は本発明の実施形態に係る安全フックの正面図、図２は図１に示した安全フックを裏側から見た背面図、図３は操作片及びロック部が握られた安全フックの正面図である。
本実施形態に掛かる安全フック１１は、掛止本体部１３と、グリップ部１５と、開閉杆１７と、を有する。掛止本体部１３は、支柱１９（図４参照）の上端に架け渡される被掛止体である単管や親綱２１の通過する開放部２３が下方となる鉤状（フック状）に形成される。
【００２６】
グリップ部１５は、開放部２３を挟む掛止本体部１３の開放部一端２５に連設される。グリップ部１５は、開放部２３から外側に離れる方向に傾斜し、後述する開閉杆１７の枢軸２９に対し外方向に延び開閉杆１７とで略へ字状に配置して、斜め下方向に延出して垂下端にロープ接続部２７を有する。
【００２７】
なお、掛止本体部１３の形状は、逆Ｕ字状に形成されて、開放部２３に対する奥行き及び内幅、所謂懐を大きく形成し、すなわち開放部２３を開閉杆１７にて閉じた状態で、この開閉杆１７の延在方向に対して略直交する方向（図３中Ａ）に掛止本体部１３の最奥部１４が位置し、掛止本体部１３として奥行きが長く形成され、且つ開閉杆１７の長さより狭くならないよう内幅長を幅広に形成される。そして、グリップ部１５は、開放部２３に対して閉じた状態の開閉杆１７とで９０°以上の鈍角（図３中Ｂ）をなし、掛止部本体１３の開放部一端２５に開放部２３から外側に離れる方向に延在するように、すなわち開閉杆１７とグリップ部１５とでヘ字状となって設けられる。
【００２８】
開閉杆１７は、掛止本体部１３に回転自在に取り付けられる。すなわち、掛止本体部１３の開放部一端２５には、上下方向を軸芯とする枢軸２９が設けられる。開閉杆１７は、この枢軸２９を中心に基端部３１が回転自在に支持される。開閉杆１７は、所定回転位置に位置規制されることで、開放部２３を挟む掛止本体部１３の開放部他端３３に形成される係合部３５に先端部３７が係合する。係合部３５に先端部３７が係合した開閉杆１７は、係合部３５からの上下方向の離脱が規制されて、すなわち掛止本体部１３の開放部一端２５から開放部他端３３に掛け渡されるように位置し、開放部２３を閉鎖する。
【００２９】
本実施形態において、係合部３５は、先端部３７の回転方向に開口する。すなわち、先端部３７を通過可能とする溝状に形成される。
【００３０】
掛止本体部１３には、操作片３９が回転自在に設けられる。操作片３９は、開閉杆１７の基端部３１から枢軸２９の軸線方向に沿うやや離れた位置から延設され、コ字状に形成され、内側に開閉杆１７の基端部３１を挟む。掛止本体部１３の開放部一端２５には、横方向、すなわち上下方向を軸線方向とする枢軸２９と直交する方向の操作軸４１が設けられる。操作片３９は、この操作軸４１を中心に一対のコ字状開口部４３が回転自在に支持される。操作片３９は、操作軸４１を中心に回転することで、挟持し、且つコ字状連結部４５が当接した開閉杆１７を所定回転位置に位置規制する。また、操作軸４１は、コ字状連結部４５の外方に突設された指掛け部４７がグリップ部１５へ接近する方向に回転されることで、開閉杆１７の挟持状態を解放し（図３，７，８参照）、開閉杆１７の所定回転位置への位置規制を解除する。
【００３１】
掛止本体部１３と操作片３９との間には、バネ部材４９が配設される。バネ部材４９は、操作片３９の先端となるコ字状連結部４５を開閉杆１７に当接状態として、操作片３９に開閉杆１７が挟持状態を維持し、開閉杆１７が所定回転位置となるように操作片３９を付勢する。
【００３２】
グリップ部１５には、ロック部５１が設けられる。ロック部５１は、グリップ部１５に対してロック軸５３を中心に回転自在に支持される。このロック軸５３は操作軸４１と平行に設けられる。ロック部５１は、操作片３９に係脱することにより、操作片３９の回転を規制または規制解除する。本実施形態では、ロック部５１の一端に係止爪５２を具備し、この係止爪５２が操作片３９のコ字状開口部４３先端に係合することで操作片３９の回転を抑止し、ロック部５１がロック軸５３を中心に回転することで、係合が解除されて操作片３９の回転を可能とする。ロック部５１は、通常時、ロックバネ５５（図２参照）によって、係止爪５２を操作片３９に係合して操作片３９をロックする位置に付勢される。このロックバネ５５に抗してロック部５１を操作することで、操作片３９のロックが解除される。
【００３３】
次に、安全フック１１の使用方法及び作用を説明する。
図４は安全フック使用現場の説明図、図５はロック部解除時の動作説明図、図６は操作片３９が操作されて開閉杆１７が回転された安全フック１１の動作説明図、図７は連結部通過時の動作説明図、図８は開閉杆１７の回転された安全フック１１を上側から見た動作説明図である。
安全フック１１の使用場所は、例えば駅ホーム屋根上の雪下ろし作業現場等となる。屋根には支柱１９が所定の間隔で建てられ、支柱間には親綱２１が掛け渡される。親綱２１は、支柱１９の上端において締結などされ、例えば図７に示す連結部５７を構成する。この連結部５７は、例えば支柱上端に固定した連結板５９の両端に、隣接する一方の親綱２１の端と隣接する他方の親綱２１の端が接続される。
安全フック１１の使用開始時には、先ず、ロック部５１を解除し（図５参照）、操作片３９を引き（図６参照）、開閉杆１７をフリーとする。この状態で親綱２１に、掛止本体部１３を掛ける。なお、ロック部５１と操作片３９とは、同時に握ることで解除が可能となる。
【００３４】
安全フック１１は、操作片３９から手を離すと、バネ部材４９によって操作片３９が上側位置へ回転し、操作片３９の内側に開閉杆１７が位置し挟持状態となって開閉杆１７が閉じる。その後、ロックバネ５５によってロック部５１が操作片３９をロックする。
この状態で、安全フック１１は親綱２１から離脱することが無く、屋根上の作業者Ｐは、腰ベルトから延びるロープを介して連結状態となり安全が確保される。また親綱２１に沿って屋根上を移動可能となる。
【００３５】
安全フック１１が支柱１９に到達したなら、ロック部５１と操作片３９とを再度握り、開閉杆１７を支柱１９に押し当てる。これにより、図７に示すように、開閉杆１７は、支柱１９によって回転する。開閉杆１７が回転することで、開放部２３が開かれ、掛止本体部１３は、掛け替えせずに支柱１９を通過することができる。なお、この際、ロック部５１、操作片３９を同時に握らなければ、開放部２３は、支柱１９に当たっても、開放部２３を開放しない。
【００３６】
連結部５７の通過後、或いは通過とほぼ同時に、ロック部５１、操作片３９から手指を離すと、連結部５７が開放部２３を通過後、開閉杆１７が元の係止位置に戻る。
【００３７】
このように、安全フック１１では、開閉杆１７の基端部３１が、上下方向の枢軸２９を中心に、開放部一端２５に回転自在に支持される。開閉杆１７は、枢軸２９を中心に水平方向に回転され、先端部３７は係合部３５との係合が解除される。
【００３８】
掛止本体部１３を親綱２１に通して、この親綱２１に沿って略水平方向に移動した安全フック１１は、支柱１９に到達すると、開閉杆１７が支柱１９に当たる。その際、開閉杆１７は、所定回転位置への位置規制が解除されていると、衝接した支柱１９からの反力により枢軸２９を中心に水平方向に回転する（図７参照）。開閉杆１７が水平方向に回転することで、開放部２３が開放し、支柱１９が開放部２３を通過可能となる。これにより、安全フック１１の掛止本体部１３内側を、支柱１９に支持される親綱２１同士の連結部５７を通過できることになる。
【００３９】
このとき、開閉杆１７は、水平方向に回転されるので（図８参照）、従来構造のように、掛止本体部内方に揺動する場合に比べ、連結部５７と干渉し難くなる。その結果、掛止本体部１３が小型化・軽量化可能となる。つまり、掛止本体部１３の上下高さが小さく抑制できる。また、グリップ部１５が、開放部２３から外側に離れる方向に傾斜していることで、このグリップ部１５を握る手指が開閉杆１７及び開放部２３から退いた位置となり、その手指が開放部２３を通過する連結部５７に対して干渉することがない。すなわち、掛止部本体１３の開放部２３から奥方向となる親綱２１の進入方向、及び支柱１９の立設方向に対して、グリップ部１５がそれらから離れる方向に傾斜して配置されることになり、また、掛止本体部１３の形状が、逆Ｕ字状に形成されて、開放部２３に対する奥行き及び内幅、所謂懐を大きく形成し、掛止本体部１３として奥行きが長く形成され、且つ開閉杆１７の長さより狭くならないよう内幅長を幅広に形成されており、図３のように作業者Ｐがグリップ部１５を握ったままでも連結部５７や支柱１９、支柱１９上端に固定した連結板５９などと干渉せず、すなわち掛け替えせずに通過可能となる。
【００４０】
開放部２３を閉塞している開閉杆１７は、支柱１９に当てながら回転させ、開放部２３を開放できる。これにより、支柱回避の直前まで開放部２３を閉塞しておくことができ、安全性が向上する。なお、支柱通過後、開閉杆１７は、操作片３９が操作解除、すなわち手指による握り操作が解除されると、バネ部材４９によって元の位置に戻される操作片３９に従動し、図１に示したように、開放部２３を瞬時に閉塞する。これによっても、安全性が向上する。
【００４１】
また、安全フック１１では、溝状の係合部３５に係合して開放部２３を閉塞している開閉杆１７は、回転位置規制が解除されると、開口から脱して容易に係合部３５からの離脱が可能となる。また、操作片３９によって元の位置に回転される開閉杆１７は、開口から進入して、容易に係合部３５（元の係合位置）に配置可能となる。その結果、簡素な構造で、開閉杆１７の先端部３７を係合部３５に対して係合・係合解除できる。
【００４２】
さらに、安全フック１１では、コ字状の操作片３９が、開閉杆１７を挟み入れて、コ字状開口部４３が回転自在に支持される。ここで、開閉杆１７は、上下方向の枢軸２９を中心に基端部３１が回転自在に支持され、横方向に回転する。また、操作片３９は、横方向（上下方向に直交する方向）の操作軸４１を中心にコ字状開口部４３が回転自在に支持され、上下方向に回転する。従って、操作片３９が開閉杆１７を挟まない下側位置へ回転されれば、開閉杆１７は、所定回転位置への位置規制が解除され、横方向の回転、すなわち、開放部２３の開閉が可能となる。一方、操作片３９が開閉杆１７を挟む上側位置へ回転されれば、開閉杆１７は、操作片３９に挟持され、所定回転位置に位置規制される。その結果、簡素な構造で開閉杆１７を所定回転位置に位置規制・位置規制解除できる。
【００４３】
また、安全フック１１では、バネ部材４９の付勢により操作片３９が上側位置に回転されることで、開閉杆１７が常時閉塞位置となる。また、バネ部材４９は、操作片３９が操作されると、付勢方向に抗して変位することで、操作片３９の操作を許容する。この操作片３９の操作によって、開閉杆１７の回転位置規制が容易に解除可能となる。その結果、バネ部材４９の付勢により常時閉塞位置となる開閉杆１７の位置規制を、バネ部材４９の付勢に抗する操作片３９の操作で容易に解除でき、操作性を高めるとともに、安全性を高めることができる。
【００４４】
さらに、安全フック１１では、ロック部５１が操作片３９に係合することで、操作片３９の操作が不能となる。操作片３９は、ロック部５１の係合が解除されることで、操作が可能となる。つまり、開閉杆１７は、操作片３９とロック部５１とにより、係合部３５からの離脱が二重にロックされる。その結果、ロック部５１を解除操作しなければ単独では操作片３９が操作できず、開閉杆１７が不用意に開くことを防止して、安全性を向上させることができる。
【００４５】
従来構造のような安全フックによる２丁掛け安全帯は、掛け替え時の動作が多いので、支柱１９を通過するたびに作業の流れが中断されてしまう。これに対し、安全フック１１によれば、作業の流れを止めず、ストレスなく支柱１９を通過でき、屋根上などの高所における作業の際に支柱１９の存在を気にせず移動が可能となる。
【００４６】
また、従来構造の安全フックでは、上記した連結部５７等を通過可能とするには、フック状部分の大きさを大型化することで対処することになるが、大きくなればなるほど、強度を向上するために厚さを増すなどの対策が必要になり、このことから、安全フックの重量が大きくなり、作業者にとって扱いにくいものになってしまう。これに対し、本発明の安全フック１１によれば、小型化を維持しつつも、支柱１９部分を通過できる広い開口部を確保できる。
【００４７】
そして、本発明の安全フック１１は、既存の親綱設備や、単管などで構成される安全柵、手摺りなど種々の設備に対応し、片手で操作でき、掛け替え不要とすることができるもので、この作業性の向上は、一方の手で安全フック１１を、他方の手で工具や道具を持ったままで作業の中断を無くし、さらには作業時間の短縮化をも図ることが可能となる。
【００４８】
なお、掛止本体部１３は、素材の選定、厚み、変形に耐える形状などを適宜適用することが可能である。例えば、掛止本体部１３は、リブ付き形状のクロモリブデン鋼など強度のある素材を使用することで、強度を増しても、より小型・軽量に構成することができる。
【００４９】
また、上述した実施形態では、開閉杆１７の開閉方向を、横方向とした例について述べたが、この開閉杆１７の開閉方向は掛止本体部１３の開放部２３に対してどの方向とされていても良く、例えば、基端部３１が開放部一端２５に略水平な軸に枢支されて、この開放部２３に対して掛止本体部１３の内側に回転し揺動する構成や、掛止本体部１３の外方向へグリップ部１５に近づく方向へ回転し揺動する構成などとしてもよい。なお、これらの開閉杆の開閉方向が異なる場合であっても、グリップ部１５は開放部２３に対して外側に離れる方向で延設され、開閉杆１７と成す角度を鈍角とするとともに、掛止本体部１３の最奥部１４が、開閉杆１７の延在方向に対して略直交する方向とされ、掛止本体部１３としての奥行きを長く形成し、グリップ部１５を握る作業者の手指と支柱などの被掛止体２１とが干渉しない構成とする。
【００５０】
従って、本実施形態に係る安全フック１１によれば、掛止本体部１３が大型化せず、支柱１９のある親綱同士の連結部５７を、掛止したまま容易に通過でき、高所作業であっても安全を確保することができる。
【符号の説明】
【００５１】
１１…安全フック
１３…掛止本体部
１５…グリップ部
１７…開閉杆
１９…支柱
２１…親綱（被掛止体）
２３…開放部
２５…開放部一端
２７…ロープ接続部
２９…枢軸
３１…基端部
３３…開放部他端
３５…係合部
３７…先端部
３９…操作片
４１…操作軸
４３…コ字状開口部
４５…コ字状連結部
４７…指掛け部
４９…バネ部材
５１…ロック部
【図１】
2015012914.tif 000003
【図２】
2015012914.tif 000004
【図３】
2015012914.tif 000005
【図４】
2015012914.tif 000006
【図５】
2015012914.tif 000007
【図６】
2015012914.tif 000008
【図７】
2015012914.tif 000009
【図８】
2015012914.tif 000010